(57)【要約】【課題】温度センサの動作が正常か異常かを判断することが可能な画像表示装置を提供する。【解決手段】画像表示装置は、画像表示装置の外装を構成する筐体と、筐体内部に設置され、画像入力端子から入力された画像信号に基づき画像を投写表示する投写部１０と、投写部を冷却する冷却ファン４４と、投写部または筐体内部の温度を検出する温度センサ４０と、冷却ファンの回転を制御するファン制御部４３と、温度センサの動作異常を判定する温度センサ判定部と、を備え、温度センサは、ファン制御部が冷却ファンを停止させた時点の温度を第１の温度として検出し、冷却ファン停止後の第１の所定時間間隔毎の温度を第２の温度として検出し、温度センサ判定部は、第２の温度と第１の温度との温度差を算出温度として算出し、冷却ファンを停止した時点から第２の所定時間が経過するまでの間、算出温度が所定の温度未満の場合に、温度センサの動作異常として判定する。【選択図】図１
2009031389.tif 000002
【特許請求の範囲】
【請求項１】
画像表示装置の外装を構成する筐体と、
前記筐体内部に設置され、画像入力端子から入力された画像信号に基づき画像を投写表示する投写部と、
前記投写部を冷却する冷却ファンと、
前記投写部または前記筐体内部の温度を検出する温度センサと、
前記冷却ファンの回転を制御するファン制御部と、
前記温度センサの動作異常を判定する温度センサ判定部と、
を備え、
前記温度センサは、前記ファン制御部が前記冷却ファンを停止させた時点の温度を第１の温度として検出し、前記冷却ファン停止後の第１の所定時間間隔毎の温度を第２の温度として検出し、
前記温度センサ判定部は、前記第２の温度と前記第１の温度との温度差を算出温度として算出し、前記冷却ファンを停止した時点から第２の所定時間が経過するまでの間、前記算出温度が所定の温度未満の場合に、前記温度センサの動作異常として判定することを特徴とする画像表示装置。
【請求項２】
画像表示装置の外装を構成する筐体と、
前記筐体内部に設置され、画像入力端子から入力された画像信号に基づき画像を投写表示する投写部と、
前記投写部を冷却する冷却ファンと、
前記投写部または前記筐体内部の温度を検出する温度センサと、
前記冷却ファンの回転を制御するファン制御部と、
前記温度センサの動作異常を判定する温度センサ判定部と、
を備え、
前記温度センサは、前記ファン制御部が前記温度センサの検出温度に基づいて決定する前記冷却ファンの回転数に比べて低い回転数となるように、前記冷却ファンの回転数を下げた時点の温度を第１の温度として検出し、前記冷却ファンの回転数を下げてその回転数を維持するときの第１の所定時間間隔毎の温度を第２の温度として検出し、
前記温度センサ判定部は、前記第２の温度と前記第１の温度との温度差を算出温度として算出し、前記冷却ファンの回転数を下げた時点から第２の所定時間が経過するまでの間、前記算出温度が所定の温度未満の場合に、前記温度センサの動作異常として判定することを特徴とする画像表示装置。
【請求項３】
請求項１に記載の画像表示装置であって、
前記温度センサ判定部が、前記温度センサが動作異常であると判定した場合、前記ファン制御部は、前記冷却ファンを停止する直前の回転数よりも高い回転数で前記冷却ファンを回転させることを特徴とする画像表示装置。
【請求項４】
請求項２に記載の画像表示装置であって、
前記温度センサ判定部が、前記温度センサが動作異常であると判定した場合、前記ファン制御部は、前記冷却ファンの回転数を下げる直前の回転数よりも高い回転数で前記冷却ファンを回転させることを特徴とする画像表示装置。
【請求項５】
請求項１乃至４のいずれか一項に記載の画像表示装置であって、
前記画像表示装置の状態を表示する表示部を有し、
前記温度センサ判定部が、前記温度センサが動作異常であると判定した場合、前記表示部に前記温度センサが動作異常である旨の内容を表示することを特徴とする画像表示装置。
【請求項６】
請求項１乃至５のいずれか一項に記載の画像表示装置であって、
所定の指示信号が入力された場合、前記温度センサ判定部は、前記温度センサが動作異常か否かの判定を行うことを特徴とする画像表示装置。
【請求項７】
請求項６に記載の画像表示装置であって、
前記画像表示装置の動作を指示するための指示部を有し、
前記所定の指示信号は、前記指示部の指示入力操作による信号であることを特徴とする画像表示装置。
【請求項８】
請求項６または７に記載の画像表示装置であって、
前記所定の指示信号は、前記画像表示装置の電源投入後の初期化処理終了時に出力する信号であることを特徴とする画像表示装置。
【発明の詳細な説明】
【技術分野】
【０００１】
本発明は、投写部と、投写部を冷却する冷却ファンと、筐体内部の温度を検出する温度センサとを有する画像表示装置に関する。
【背景技術】
【０００２】
従来、画像表示装置には、投写部と、投写部を冷却する冷却ファンと、筐体内部の温度を検出する温度センサとを備え、温度センサが検出した温度に基づいて冷却ファンの回転数を制御するものがある。このような画像表示装置では、冷却ファンの回転数を制御しているにもかかわらず、温度センサが検出した温度が所定の温度より高くなってしまった場合は、温度異常（高温異常）と判定し、温度異常状態を表す表示を行っている。
【０００３】
また、特許文献１では、映像機器であって、温度異常、ファン異常、ランプ不点灯異常、フィルタ異常を検出した時に、映像機器に供給されている電源をオフし、異常状態の検出により電源をオフしたことを表示する表示部を備えたものが開示されている。
【０００４】
【特許文献１】特開平９−１３０７００号公報
【発明の開示】
【発明が解決しようとする課題】
【０００５】
しかし、このような画像表示装置では、温度センサは正常動作していることを前提としており、温度センサの故障（異常）を検出することは考えられていなかった。温度センサが故障して、正常な温度を検出できなくなっていると、実際は異常な温度になっているにもかかわらず、温度異常と判定できない可能性がある。また逆に、実際は異常な温度になっていないにもかかわらず、温度異常と判定してしまう可能性もある。特に、異常な温度になったときに、温度異常と判定できない場合には、検出温度に基づく冷却動作が正しく行えないため、筐体内部が過熱する恐れがあった。従って、温度センサの動作状態が正常か異常かを判断することが必要となっていた。
【課題を解決するための手段】
【０００６】
本発明は、上述の課題の少なくとも一部を解決するためになされたものであり、以下の形態または適用例として実現することが可能である。
【０００７】
［適用例１］画像表示装置の外装を構成する筐体と、筐体内部に設置され、画像入力端子から入力された画像信号に基づき画像を投写表示する投写部と、投写部を冷却する冷却ファンと、投写部または筐体内部の温度を検出する温度センサと、冷却ファンの回転を制御するファン制御部と、温度センサの動作異常を判定する温度センサ判定部と、を備え、温度センサは、ファン制御部が冷却ファンを停止させた時点の温度を第１の温度として検出し、冷却ファン停止後の第１の所定時間間隔毎の温度を第２の温度として検出し、温度センサ判定部は、第２の温度と第１の温度との温度差を算出温度として算出し、冷却ファンを停止した時点から第２の所定時間が経過するまでの間、算出温度が所定の温度未満の場合に、温度センサの動作異常として判定することを特徴とする画像表示装置。
【０００８】
このような画像表示装置によれば、ファン制御部は冷却ファンを停止させ、その時点で温度センサが検出した温度を第１の温度とする。また、温度センサは第１の所定時間間隔毎に温度を検出して第２の温度とする。そして、温度センサ判定部は、第２の温度と第１の温度の温度差を算出し、算出温度とする。この算出温度が第２の所定時間が経過するまでの間、所定の温度未満であった場合、温度センサ判定部は、温度センサが動作異常であると判定する。これにより、簡易な構成で、温度センサの動作が正常か異常かを判定することが可能となる。
【０００９】
［適用例２］画像表示装置の外装を構成する筐体と、筐体内部に設置され、画像入力端子から入力された画像信号に基づき画像を投写表示する投写部と、投写部を冷却する冷却ファンと、投写部または筐体内部の温度を検出する温度センサと、冷却ファンの回転を制御するファン制御部と、温度センサの動作異常を判定する温度センサ判定部と、を備え、温度センサは、ファン制御部が温度センサの検出温度に基づいて決定する冷却ファンの回転数に比べて低い回転数となるように、冷却ファンの回転数を下げた時点の温度を第１の温度として検出し、冷却ファンの回転数を下げてその回転数を維持するときの第１の所定時間間隔毎の温度を第２の温度として検出し、温度センサ判定部は、第２の温度と第１の温度との温度差を算出温度として算出し、冷却ファンの回転数を下げた時点から第２の所定時間が経過するまでの間、算出温度が所定の温度未満の場合に、温度センサの動作異常として判定することを特徴とする画像表示装置。
【００１０】
このような画像表示装置によれば、ファン制御部は冷却ファンの回転数を下げ、その時点で温度センサが検出した温度を第１の温度とする。また、温度センサは第１の所定時間間隔毎に温度を検出して第２の温度とする。そして、温度センサ判定部は、第２の温度と第１の温度の温度差を算出し、算出温度とする。この算出温度が第２の所定時間が経過するまでの間、所定の温度未満であった場合、温度センサ判定部は、温度センサが動作異常であると判定する。これにより、冷却ファンを停止することなく、温度センサの動作が正常か異常かを判定することが可能となる。
【００１１】
［適用例３］上記画像表示装置であって、温度センサ判定部が、温度センサが動作異常であると判定した場合、ファン制御部は、冷却ファンを停止する直前の回転数よりも高い回転数で冷却ファンを回転させることを特徴とする画像表示装置。
【００１２】
このような画像表示装置によれば、温度センサ判定部が、温度センサが動作異常であると判定した場合、ファン制御部は、冷却ファンを停止する直前の回転数よりも高い回転数で回転させることにより、画像表示装置の筐体内部および投写部が過熱することを回避することができる。
【００１３】
［適用例４］上記画像表示装置であって、温度センサ判定部が、温度センサが動作異常であると判定した場合、ファン制御部は、冷却ファンの回転数を下げる直前の回転数よりも高い回転数で冷却ファンを回転させることを特徴とする画像表示装置。
【００１４】
このような画像表示装置によれば、温度センサ判定部が、温度センサが動作異常であると判定した場合、ファン制御部は冷却ファンの回転数を下げる直前の回転数よりも高い回転数で冷却ファンを回転させることにより、画像表示装置の筐体内部および投写部が過熱することを回避することができる。
【００１５】
［適用例５］上記画像表示装置であって、画像表示装置の状態を表示する表示部を有し、温度センサ判定部が、温度センサが動作異常であると判定した場合、表示部に温度センサが動作異常である旨の内容を表示することを特徴とする画像表示装置。
【００１６】
このような画像表示装置によれば、温度センサ判定部が、温度センサが動作異常であると判定した場合、表示部に温度センサが動作異常である旨の内容を表示する。これにより、ユーザに温度センサの動作異常を認識させることができる。
【００１７】
［適用例６］上記画像表示装置であって、所定の指示信号が入力された場合、温度センサ判定部は、温度センサが動作異常か否かの判定を行うことを特徴とする画像表示装置。
【００１８】
このような画像表示装置によれば、温度センサ判定部は、所定の指示信号が入力された場合に温度センサが動作異常か否かの判定を行う。これにより、温度センサの動作異常検出を所定の指示信号によって実行することができる。
【００１９】
［適用例７］上記画像表示装置であって、画像表示装置の動作を指示するための指示部を有し、所定の指示信号は、指示部の指示入力操作による信号であることを特徴とする画像表示装置。
【００２０】
このような画像表示装置によれば、所定の指示信号は、指示部の指示入力操作による信号とする。これにより、ユーザが所望のときに指示入力操作を行うことで、温度センサが動作異常か否かの判定を実行することができる。
【００２１】
［適用例８］上記画像表示装置であって、所定の指示信号は、画像表示装置の電源投入後の初期化処理終了時に出力する信号であることを特徴とする画像表示装置。
【００２２】
このような画像表示装置によれば、所定の指示信号は、画像表示装置の電源投入後の初期化処理終了時に出力する信号とする。これにより、画像表示装置の電源投入時の自己診断機能として、温度センサが動作異常か否かの判定を実行することができるため、ユーザが意識して操作を行う必要がなくなり、利便性が向上する。
【発明を実施するための最良の形態】
【００２３】
以下、画像表示装置の実施形態として、光源から射出された光を画像信号に基づいて変調して光学像を形成し、この光学像を外部のスクリーン等に投写するプロジェクタに適用した場合について説明する。
【００２４】
（第１の実施形態）
図１は、第１の実施形態に係る画像表示装置としてのプロジェクタの概略構成を示すブロック図である。図１を使用して、プロジェクタ１の内部構成について説明する。
【００２５】
プロジェクタ１は、光学像の投写を行う投写部１０と、制御部２０と、指示部としての入力操作部２１と、タイマ部２２と、画像信号入力部３０と、画像処理部３１と、ＯＳＤ処理部３２と、表示部としてのＬＥＤ表示部３３と、温度センサ４０と、温度処理部４１と、温度記憶部４２と、ファン制御部４３と、冷却ファン４４と、光源制御部４５とを備えている。また、図１には、プロジェクタ１の外部に、スクリーンＳＣを図示している。
【００２６】
投写部１０は、超高圧水銀ランプやメタルハライドランプ等の放電型光源やＬＥＤ（Light Emitting Diode）等の固体型光源からなる光源１１と、光変調装置としての液晶ライトバルブ１２と、投写光学系としての投写レンズ１３と、液晶ライトバルブ１２を駆動するライトバルブ駆動部１４とを備えている。
【００２７】
液晶ライトバルブ１２は、一対の透明基板間に液晶が封入された透過型液晶パネル等によって構成される。ライトバルブ駆動部１４の駆動によって、液晶ライトバルブ１２の各画素に画像信号に応じた駆動電圧が印加されると、各画素は、画像信号に応じた光透過率で光源光を透過させる。
【００２８】
光源１１から射出された光は、この液晶ライトバルブ１２を透過することによって変調され、変調後の光が投写レンズ１３によって投写されることにより、スクリーンＳＣ等に画像信号に応じた画像が表示される。
【００２９】
制御部２０は、ＣＰＵ（Central Processing Unit）、フラッシュメモリ等からなるＲＯＭ（Read Only Memory）、各種データの一時記憶等に用いられるＲＡＭ（Random Access Memory）等（いずれも図示せず）を備え、コンピュータとして機能するものである。制御部２０は、ＣＰＵがＲＯＭに記憶されている制御プログラムに従って動作することにより、プロジェクタ１の動作を統括制御する。
【００３０】
入力操作部２１は、プロジェクタ１に対して各種指示を行うための複数のキー等を備えている。入力操作部２１が備えるキーには、電源のオン／オフを行うための電源キーや、各種設定を行うためのメニュー画面の表示／非表示を切り換えるメニューキー、メニュー画像におけるカーソルの移動等に用いられるカーソルキー、決定キー等がある。ユーザが入力操作部２１を操作すると、入力操作部２１は、ユーザの操作内容に応じた操作信号を制御部２０に出力する。なお、リモコン信号受信部（図示せず）を有し、入力操作部２１として、遠隔操作が可能なリモートコントローラ（図示せず）を用いた構成としてもよい。この場合、リモートコントローラは、ユーザの操作内容に応じた赤外線等の操作信号を発し、リモコン信号受信部がこれを受信して制御部２０に伝達してもよい。
【００３１】
タイマ部２２は、制御部２０からの指示によって、様々なタイマ機能として計時処理を行う。本実施形態では、第１の所定時間および第２の所定時間を計時する。タイマ部２２は、このような計時を行い、所定時間に達した時点で制御部２０に通知を行う。そして、制御部２０は、計時結果を温度処理部４１またはファン制御部４３に出力する。
【００３２】
画像信号入力部３０には、パーソナルコンピュータや映像再生装置等、外部の画像供給装置（図示せず）とケーブルを介した接続を行うための各種の画像入力端子が備えられ、画像供給装置から画像信号が入力される。画像信号入力部３０は、入力される画像信号を、画像処理部３１で処理可能な形式の画像データに変換して、画像処理部３１に出力する。
【００３３】
画像処理部３１は、制御部２０の指示に基づいて、画像信号入力部３０から入力される画像データに対して、明るさ、コントラスト、シャープネス、色合い等の調整や、ガンマ補正等の各種画質調整を施す。画像処理部３１で画質調整がなされた画像データは、ＯＳＤ処理部３２に出力される。
【００３４】
ＯＳＤ処理部３２は、制御部２０の指示に基づいて、メニュー画像やメッセージ画像等のＯＳＤ（オンスクリーンディスプレイ）画像を、画像処理部３１から入力される画像データに基づく画像上に重畳するための処理を行う。ＯＳＤ処理部３２は、ＯＳＤメモリ（図示せず）を備えており、ＯＳＤ画像を形成するための図形やフォント等を表すＯＳＤ画像データを記憶している。制御部２０が、ＯＳＤ画像の重畳を指示すると、ＯＳＤ処理部３２は、必要なＯＳＤ画像データをＯＳＤメモリから読み出し、入力画像の所定の位置にＯＳＤ画像が重畳されるように、画像処理部３１から入力される画像データにこのＯＳＤ画像データを合成する。ＯＳＤ画像データが合成された画像データは、ライトバルブ駆動部１４に出力される。なお、制御部２０からＯＳＤ画像を重畳する旨の指示がない場合には、ＯＳＤ処理部３２は、画像処理部３１から出力される画像データを、そのままライトバルブ駆動部１４に出力する。
【００３５】
ライトバルブ駆動部１４が、入力される画像データに従って液晶ライトバルブ１２を駆動すると、画像データに基づいた画像（光学像）が投写レンズ１３からスクリーンＳＣに投写される。
【００３６】
ＬＥＤ表示部３３は、１つまたは複数のＬＥＤ（発光ダイオード）からなるインジケータであり、制御部２０の指示に基づいてその点灯状態を切り換えることにより、ユーザにプロジェクタの動作状態（オン状態やスタンバイ状態、異常状態等）を報知する。なお、ＬＥＤ表示部３３は、ＬＥＤの点灯状態、すなわちＬＥＤの点灯、点滅、消灯、発光色等を適宜切り換えることによって、多数の動作状態を表すことが可能になっている。本実施形態では、温度センサの異常状態をこのＬＥＤ表示部３３を用いて表示する。
【００３７】
温度センサ４０は、本実施形態では、プロジェクタ１の筐体内部の冷却を必要とする投写部の温度を測定するサーミスタとしている。なお、温度センサはサーミスタに限定するものではない。プロジェクタ１は、１つ以上の温度センサ４０を備えている。温度センサ４０が測定した温度は、温度処理部４１に出力する。
【００３８】
温度処理部４１は、温度センサ４０から入力した温度を監視し、温度情報をファン制御部４３に通知する。また、温度センサ４０の動作が正常か異常かを判定する温度センサ判定状態では、温度処理部４１は、ファン制御部４３が冷却ファン４４を停止させた時点の温度を第１の温度として温度記憶部４２に出力して記憶させる。
【００３９】
さらに、温度処理部４１は、第１の所定時間（例えば０．５秒）間隔で温度センサが測定する温度を第２の温度として取り込み、第２の温度と第１の温度の温度差を算出温度として算出する。そして、温度処理部４１は、この算出温度が所定の温度（例えば１０℃）と比較して、所定の温度以上か否かを判定する。算出温度が所定の温度以上であった場合に、温度処理部４１は、温度センサの動作が正常である旨を制御部２０に通知する。また、タイマ部２２が計時する第２の所定時間（例えば１０秒）までの間に、算出温度が所定の温度に達しなかった場合、温度処理部４１は、温度センサが動作異常である旨を制御部２０に通知する。
【００４０】
なお、第１の所定時間、第２の所定時間および所定の温度の設定値は任意であり、画像表示装置の状況に応じて適宜設定すればよい。筐体内部の温度変化は、画像表示装置の種類や光源１１の種類、温度センサ４０の設置位置等により変わるため、第２の所定時間および所定の温度は、各種実験によって適用する画像表示装置に最適な値を決定することが望ましい。また、第１の所定時間についても、筐体内部の温度変化およびソフトウェア処理の負荷等を考慮して最適な値を決定することが望ましい。
【００４１】
温度記憶部４２は、第１の温度を記憶するメモリである。温度記憶部４２は、温度処理部４１から入力された第１の温度を記憶する。そして、温度処理部４１により読み出しが行われると、記憶された第１の温度を出力する。
【００４２】
ファン制御部４３は、制御部２０からの指示に基づいて、冷却ファン４４の回転や停止および回転数制御等を行う。ファン制御部４３は、温度処理部４１から温度情報を入力し、その温度情報に基づいて冷却ファン４４の回転数を決定し、冷却ファン４４を回転させる制御（以降、「通常ファン制御」と呼ぶ）を行う。本実施形態では、通常ファン制御では、ファン制御部４３は、筐体内部および投写部１０が過熱しないように冷却ファン４４の回転数を制御している。
【００４３】
また、ファン制御部４３は、温度センサ判定状態では、制御部２０からの指示により冷却ファン４４を停止させる。さらに、温度センサ判定状態で、制御部２０から温度センサが正常である旨の情報を受けた場合は、通常ファン制御を開始する。また、温度センサ判定状態で、制御部２０から温度センサが動作異常である旨の情報を受けた場合は、冷却ファン４４を通常ファン制御の場合より高い回転数で回転させる。
【００４４】
本実施形態では、上述した温度センサ判定状態での制御部２０および温度処理部４１が、温度センサ判定部に相当する。
【００４５】
冷却ファン４４は、ファン制御部４３により制御されて、回転および停止の動作を行う。さらに、回転数についてもファン制御部４３により制御される。
【００４６】
光源制御部４５は、制御部２０の指示に基づいて、光源１１に対する電力の供給と停止とを制御し、光源１１の点灯および消灯を切り換える。
【００４７】
上述のような構成によって、プロジェクタ１は、温度センサの判定を行い、温度センサが動作異常の場合、異常表示を行うことができる。
【００４８】
図２は、プロジェクタの状態遷移図である。図２を使用して、本実施形態におけるプロジェクタ１の状態遷移について説明する。
【００４９】
起動状態ＳＴ１０は、プロジェクタ１に電源が供給されて起動処理を行っている状態である。起動処理では、光源１１の点灯開始や、冷却ファン４４の回転開始等の様々な初期化処理等を行っている。初期化処理が終了すると、プロジェクタ１は、温度センサ判定状態ＳＴ１２に遷移する。
【００５０】
温度センサ判定状態ＳＴ１２では、プロジェクタ１は、温度センサの動作が正常か異常かを判定する温度センサ判定処理を行い、判定結果が正常であれば通常状態ＳＴ１１に遷移し、異常であれば温度センサ異常状態ＳＴ１３に遷移する。
【００５１】
通常状態ＳＴ１１は、プロジェクタ１の光源１１が点灯されており、ファン制御部４３が、通常ファン制御を行っている状態である。また、温度センサ異常状態ＳＴ１３は、光源１１が消灯され、冷却ファン４４が通常ファン制御に比べて高い回転数で回転して、ＬＥＤ表示部３３に温度センサ４０の動作異常を表す表示をしている状態である。
【００５２】
通常状態ＳＴ１１において、ユーザによって入力操作部２１の指示入力操作が行われた場合には、プロジェクタ１は、温度センサ判定状態ＳＴ１２に遷移する。本実施形態では、プロジェクタ１にソフトウェアとして実装する機能メニューに「温度センサ機能テスト」画面を設け、ユーザがこの画面上で温度センサ機能テストの実行を指示することを、指示入力操作とする。そして、温度センサ機能テストの実行が指示されると、プロジェクタ１は、温度センサ判定状態ＳＴ１２に遷移し、温度センサ判定処理を行う。
【００５３】
図３は、温度センサ機能テスト画面の表示図である。温度センサ機能テスト画面Ｍ１とは、温度センサ４０の機能テストを実行するか否かの指示操作を受け付ける画面である。温度センサ機能テスト画面Ｍ１では、ユーザは、入力操作部２１を操作することによって、「はい」（実行する）または「いいえ」（実行しない）のいずれかを選択する。ユーザが「はい」を選択した場合は、プロジェクタ１は、温度センサ機能テストとして温度センサ判定処理を直ちに実行する。
【００５４】
次に、本実施形態のプロジェクタ１の温度センサ４０の判定についてグラフを用いて説明する。
図４は、温度センサ判定を行ったときの温度変化を表すグラフであり、同図（ａ）は、判定結果が正常の場合のグラフであり、同図（ｂ）は、判定結果が異常の場合のグラフである。グラフの横軸は時間軸であり、縦軸は温度センサ４０が検出した検出温度軸である。
【００５５】
時間軸上のｔ１は、温度センサ判定処理の開始時点を示している。ｔ２は、ｔ１から第２の所定時間（１０秒）経過後の時点を示している。ｔ３は、温度センサ４０が正常と判断する時点を示している。また、検出温度軸上のｐ０は、ファン制御部４３が通常ファン制御を行うことで、超えないようにしている温度である。ｐ１は、温度センサ判定処理の開始時点（冷却ファン４４を停止する時点）の第１の温度を示している。ｐ２は、ｐ１に所定の温度（１０℃）を加算した温度を示している。
【００５６】
０からｔ１までの時間は通常状態ＳＴ１１である。ｔ１の時点で、温度センサ判定処理を開始することで、プロジェクタ１は、温度センサ判定状態ＳＴ１２に遷移する。温度センサ判定状態ＳＴ１２では、冷却ファン４４を停止するため、投写部および筐体内部の温度は上昇する。
【００５７】
図４（ａ）では、温度センサ判定状態ＳＴ１２において、曲線Ｆ１は、ｔ３の時点で検出温度がｐ２に達している。すなわち、第２の所定時間が経過する時までの間に検出温度である第２の温度と第１の温度との温度差である算出温度が所定の温度以上となっているため、温度処理部４１は、温度センサ４０が正常であると判断する。そして、ファン制御部４３は、冷却ファン４４の回転を再開し、通常ファン制御を行うことで、筐体内の温度はｐ０以下に戻り、プロジェクタ１は通常状態ＳＴ１１となる。
【００５８】
図４（ｂ）では、温度センサ判定状態ＳＴ１２において、曲線Ｆ２は、ｔ２の時点を経過しても温度がｐ２に達していない。すなわち、第２の所定時間が経過した時点でも検出温度である第２の温度と第１の温度との温度差である算出温度が所定の温度未満となっているため、温度センサ４０は動作異常であると判断する。そして、ファン制御部４３は、冷却ファン４４を通常ファン制御の場合よりも高い回転数で回転させ、プロジェクタ１は温度センサ異常状態ＳＴ１３となる。なお、本実施形態の曲線Ｆ２では、冷却ファン４４を高い回転数で回転することで、検出温度は下がるグラフとしているが、温度センサ４０は動作異常であるため、検出温度は下がるとは限らない。
【００５９】
次に、本実施形態のプロジェクタ１の動作について説明する。
図５は、プロジェクタの温度センサ判定処理のフローチャートである。当フローチャートを用いて、プロジェクタ１の温度センサ判定状態ＳＴ１２における温度センサ判定処理について説明する。
【００６０】
制御部２０からの指示により、タイマ部２２は、第２の所定時間を計時するタイマをスタートし（ステップＳ１００）、ファン制御部４３は、冷却ファン４４を停止する（ステップＳ１０１）。そして、温度処理部４１は、温度センサ４０から温度を検出し、第１の温度として温度記憶部４２に記憶させる（ステップＳ１０２）。
【００６１】
制御部２０は、タイマ部２２に指示を出して第１の所定時間の経過待ちを行う（ステップＳ１０３）。その後、温度処理部４１は、温度センサ４０から第２の温度として温度を検出し、温度記憶部４２に記憶した第１の温度との温度差である算出温度を算出する（ステップＳ１０４）。温度処理部４１は、算出温度が所定の温度以上か否かを判断する（ステップＳ１０５）。算出温度が所定の温度未満の場合（ステップＳ１０５：ＮＯ）、制御部２０は、タイマ部２２が計時している時間が第２の所定時間を経過したか否かを判断する（ステップＳ１０６）。第２の所定時間を経過していなければ（ステップＳ１０６：ＮＯ）、ステップＳ１０３に戻り、第１の所定時間の経過待ちを行い、算出温度の判定および第２の所定時間の判定を繰り返す。
【００６２】
算出温度が所定の温度以上になった場合（ステップＳ１０５：ＹＥＳ）は、温度処理部４１は、温度センサ４０が正常であると判定し、制御部２０に通知する。そして、制御部２０からの指示により、ファン制御部４３は、通常ファン制御を開始する（ステップＳ１１１）。制御部２０は、タイマ部２２に指示を出し、第２の所定時間を計時するタイマを停止する（ステップＳ１１２）。これにより、プロジェクタ１は通常状態ＳＴ１１に遷移する。
【００６３】
第２の所定時間が経過した場合（ステップＳ１０６：ＹＥＳ）は、温度処理部４１は、温度センサ４０が動作異常であると判定し、制御部に通知する。そして、制御部２０からの指示により、ファン制御部４３は、冷却ファン４４を通常ファン制御に基づく回転数よりも高い回転数で回転させる（ステップＳ１０７）。
【００６４】
制御部２０は、タイマ部２２に指示を出し、第２の所定時間を計時するタイマを停止する（ステップＳ１０８）。さらに、制御部２０からの指示により、ＬＥＤ表示部３３は、温度センサ異常の警告表示を行う（ステップＳ１０９）。温度センサ異常の警告表示は、例えば、赤色ＬＥＤの点滅等とすることができる。次に、光源制御部４５は、制御部２０からの指示により光源１１を消灯する（ステップＳ１１０）。これにより、プロジェクタ１は温度センサ異常状態ＳＴ１３に遷移する。
【００６５】
上述した第１の実施形態によれば、以下の効果が得られる。
（１）プロジェクタ１は、温度センサ判定処理の開始時点の温度を第１の温度とする。そして、第１の所定時間間隔毎に温度を検出して第２の温度とし、第１の温度との温度差である算出温度を算出する。そして、第２の所定時間の経過時点までの間、算出温度が所定の温度未満であった場合に、温度センサ４０が動作異常であると判定する。また、第２の所定時間の経過より前に、算出温度が所定の温度に達した場合は、温度センサ４０は正常と判定する。これにより、温度センサ４０の動作が正常か異常かを判定することができる。また、温度センサ４０が正常であれば、第２の所定時間よりも早く判定が終了するため、温度センサ機能テスト（温度センサ判定処理）に要する時間が短縮され、ユーザにとって有益である。
【００６６】
（２）プロジェクタ１は、温度センサ４０が動作異常であると判定した場合、ＬＥＤ表示部３３に温度センサ４０の動作が異常である旨の内容を表示する。これにより、ユーザは温度センサ４０が動作異常であることを認識することが可能となる。よって、ユーザは、以降のプロジェクタ１の使用を中止し、修理等の対応を行うことが可能となる。
【００６７】
（３）プロジェクタ１は、温度センサ４０が動作異常であると判定した場合、冷却ファン４４を通常ファン制御の場合よりも高い回転数で回転させる。これにより、高い冷却効果が得られ、プロジェクタ１の内部が過熱してしまうことを避けることができる。
【００６８】
（４）プロジェクタ１は、ユーザが温度センサ機能テスト画面Ｍ１において、温度センサ機能テストを実行したときに、温度センサ判定処理を行う。これにより、ユーザが所望のタイミングで、温度センサ判定処理を実行することができる。
【００６９】
（５）プロジェクタ１は、電源投入後の初期化処理終了後に温度センサ４０判定処理を行う。これにより、プロジェクタ１は、電源投入時に自動で行われる自己診断機能として、温度センサ判定処理を実行することができるため、ユーザは意識して温度センサ機能テストを実行する必要がなくなり、利便性が向上する。
【００７０】
（第２の実施形態）
以下、第２の実施形態について説明する。
【００７１】
本実施形態に係るプロジェクタ２は、温度センサ判定状態ＳＴ１２の処理における、冷却ファン４４の制御が第１の実施形態と異なる。その他の構成や処理、状態遷移等は第１の実施形態と同様である。第１の実施形態では、温度センサ判定状態ＳＴ１２においては、ファン制御部４３は冷却ファン４４を停止するものとしたが、本実施形態では、冷却ファン４４の回転数を通常ファン制御時に比べて下げ、低い回転数で回転させている。
【００７２】
図６は、第２の実施形態に係るプロジェクタの温度センサ判定処理のフローチャートである。
ステップＳ２００は、第１の実施形態のフローチャートである図５のステップＳ１００と同様である。次に、ファン制御部４３は、冷却ファン４４を通常ファン制御の場合よりも回転数を下げ、低い回転数で回転させる（ステップＳ２０１）。以降のステップＳ２０２〜ステップＳ２１２までは、図５のステップＳ１０２〜ステップＳ１１２と同様である。
【００７３】
図６のフローチャートに記載している第１の所定時間、第２の所定時間および所定の温度は、冷却ファン４４の回転数や画像表示装置の種類、光源１１の種類、温度センサ４０の設置位置等により変化するため、各種実験によって適用する画像表示装置に最適な値を決定することが望ましい。また、温度センサ判定状態ＳＴ１２における冷却ファン４４の回転数についても、各種実験によって適用する画像表示装置に最適な値を決定することが望ましい。
【００７４】
上述した第２の実施形態によれば、第１の実施形態での効果（１）〜（５）と同様の効果を奏することができる。他に、以下の効果が得られる。
（１）プロジェクタ２は、冷却ファン４４の回転数を下げて、温度センサ４０の動作が正常か異常かを判定する。これにより、冷却ファン４４を停止しなくても温度センサ４０の判定を行うことができるため、温度センサ判定状態ＳＴ１２においても、プロジェクタ２の筐体内部を保護するために必要な冷却動作を行うことが可能となる。
【００７５】
なお、上述した実施形態に限定されず、種々の変更や改良などを加えて実施することが可能である。変形例を以下に述べる。
【００７６】
（変形例１）上記実施形態では、プロジェクタの機能設定メニューに温度センサ機能テスト画面Ｍ１を設け、ユーザが画面上で温度センサ機能テストの実行を指示するものとしたが、入力操作部２１に備えられたキーの押下により、温度センサ機能テストを実行できるものとしてもよい。例えば、複数のキーの同時押下により温度センサ機能テストを実行できるものとしてもよい。
【００７７】
（変形例２）上記実施形態では、プロジェクタは、第２の所定時間が経過するか、または算出温度が所定の温度以上となるまで、第１の所定時間間隔で算出温度を判定しているが、第１の所定時間を第２の所定時間と同じ時間としてもよい。こうすれば、第１の所定時間が経過すると第２の所定時間も経過しているため、この時点で算出温度の判定を行って、所定の温度以上ならば温度センサ４０は正常と判定し、所定の温度未満ならば動作異常と判定することができる。よって、算出温度を判定する回数を１回とすることができ、ソフトウェア処理の負荷を低減することが可能となる。
【００７８】
（変形例３）上記実施形態では、プロジェクタは、ＬＥＤ表示部３３によって温度センサ異常の警告表示を行うものとしたが、投写部１０によって警告表示画像をスクリーンＳＣに投写するものとしてもよい。例えば、ＯＳＤ処理部３２によって画像上に警告表示を重畳して投写する。こうすれば、ＬＥＤ表示部３３による警告表示よりも強調した表示となるため、ユーザは、温度センサ４０が動作異常であることをより明確に認識することができる。ただし、温度センサ４０が動作異常の場合には、筐体内部の過熱を防ぐために発熱源である光源１１を早く消灯する必要があるため、警告表示は短時間（例えば、５秒程度）とすることが望ましい。
【００７９】
（変形例４）上記実施形態では、光変調装置として透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００８０】
（変形例５）上記実施形態では、プロジェクタを例にして説明しているが、投写部と、投写部を冷却する冷却ファンと、投写部または筐体内部の温度を検出する温度センサとを備えた画像表示装置であれば、他の画像表示装置に適用することも可能である。
【図面の簡単な説明】
【００８１】
【図１】第１の実施形態に係る画像表示装置としてのプロジェクタの概略構成を示すブロック図。
【図２】プロジェクタの状態遷移図。
【図３】温度センサ機能テスト画面の表示図。
【図４】温度センサ判定を行ったときの温度変化を表すグラフであり、同図（ａ）は、判定結果が正常の場合のグラフ、同図（ｂ）は、判定結果が異常の場合のグラフ。
【図５】プロジェクタの温度センサ判定処理のフローチャート。
【図６】第２の実施形態に係るプロジェクタの温度センサ判定処理のフローチャート。
【符号の説明】
【００８２】
１，２…プロジェクタ、１０…投写部、１１…光源、１２…液晶ライトバルブ、１３…投写レンズ、１４…ライトバルブ駆動部、２０…制御部、２１…入力操作部、２２…タイマ部、３０…画像信号入力部、３１…画像処理部、３２…ＯＳＤ処理部、３３…ＬＥＤ表示部、４０…温度センサ、４１…温度処理部、４２…温度記憶部、４３…ファン制御部、４４…冷却ファン、４５…光源制御部。
【図１】
2009031389.tif 000003
【図２】
2009031389.tif 000004
【図３】
2009031389.tif 000005
【図４】
2009031389.tif 000006
【図５】
2009031389.tif 000007
【図６】
2009031389.tif 000008